(57)【要約】【課題】  あらゆる勾配に対応し、容易に施工できる角度可変階段を提供する。【解決手段】  桁１の長手方向に間隔をあけて複数の踏板支持部材２を設け、踏板支持部材２を介して踏板３を桁１に対して回動自在に取り付けた角度可変階段において、踏板支持部材２が踏板３を上載する水平片４と桁１に回動自在に取り付けられる垂直片５とを備えてなると共に、垂直片５が桁１に対して回動しないように固定する固定手段を設け、更に、踏板支持部材２の垂直片５に取付孔６を設け、釘７を取付孔６を介して桁１に挿入することで垂直片５が桁１に対して回動しないように固定する固定手段となしている。【選択図】図１
2006328775.tif 000002
【特許請求の範囲】
【請求項１】
桁の長手方向に間隔をあけて複数の踏板支持部材を設け、踏板支持部材を介して踏板を桁に対して回動自在に取り付けた角度可変階段において、踏板支持部材が踏板を上載する水平片と桁に回動自在に取り付けられる垂直片とを備えてなると共に、垂直片が桁に対して回動しないように固定する固定手段を設けたことを特徴とする角度可変階段。
【請求項２】
踏板支持部材の垂直片に取付孔を設け、釘を取付孔を介して桁に挿入することで垂直片が桁に対して回動しないように固定する固定手段となしたことを特徴とする請求項１記載の角度可変階段。
【請求項３】
踏板支持部材が、板状の水平片と、板状で水平片から略垂下状に設けられた２つの垂直片とからなる略コ字型であって、踏板支持部材のコ字の開口側で桁を挟むと共に、コ字の開口内に設けられ桁の厚み方向に伸びた支持軸を介して踏板支持部材を桁に対して回動自在に取り付けたことを特徴とする請求項１又は２記載の角度可変階段。
【請求項４】
踏板支持部材の水平片の下側に、桁の長手方向に平行な強化リブを設けたことを特徴とする請求項１〜３のいずれか１つに記載の角度可変階段。
【請求項５】
踏板支持部材の水平片に、階段の昇り方向に開口し桁の上側が収まる凹状の切り欠きを設けたことを特徴とする請求項１〜４のいずれか１つに記載の角度可変階段。
【発明の詳細な説明】
【技術分野】
【０００１】
本発明は、建物に設けられ、勾配の異なる設置場所に対応した角度可変階段に関する。
【背景技術】
【０００２】
建物に設けられる一般的な階段は、桁と踏板とを備えたものが多い。階段の施工においては、踏板を水平に固定する必要があるが、階段の設置場所が異なると、当然その勾配が異なる。従って、従来の桁と踏板とを備えた階段においては、階段の設置場所を採寸し、桁及び踏板を設置場所の勾配に合わせて、個別に設計・加工する必要があった。そのため加工に手間がかかり、製造に時間がかかるものであった。
一方、実開平３−７１０３０号公報には、踏板を桁に回動自在に保持し、連接板で踏板を固定した勾配可変階段が開示されている。これにより、階段の設置場所の勾配が異なったとしても、階段を個別に設計・加工する必要がなくなっている。しかしながら、このものにおいては構造が複雑であるため施工に手間がかかり、又、踏板の勾配調整が段階的にしか行えず、踏板の傾きの微調整ができないという問題があった。
【特許文献１】実開平３−７１０３０号公報
【発明の開示】
【発明が解決しようとする課題】
【０００３】
本願発明は、上記背景技術に鑑みて発明されたものであり、その課題は、あらゆる勾配に対応し、容易に施工できる角度可変階段を提供することである。
【課題を解決するための手段】
【０００４】
上記課題を解決するために、本願発明は、桁の長手方向に間隔をあけて複数の踏板支持部材を設け、踏板支持部材を介して踏板を桁に対して回動自在に取り付けた角度可変階段において、踏板支持部材が踏板を上載する水平片と桁に回動自在に取り付けられる垂直片とを備えてなると共に、垂直片が桁に対して回動しないように固定する固定手段を設けたことを特徴とする角度可変階段である。
【発明の効果】
【０００５】
本願発明の角度可変階段においては、踏板を桁に取り付ける踏板支持部材が、踏板を上載する水平片と桁に回動自在に取り付けられる垂直片とを備えてなるため、踏板の取付勾配を自由に設定でき、階段の設置場所の勾配が異なっても、同一の部材で対応することができる。又、垂直片が桁に対して回動しないように固定する固定手段を備えているため、踏板の取付勾配を自由に決めた後、一定の取付勾配になるように固定できる。
【発明を実施するための最良の形態】
【０００６】
図１は、本願の請求項１〜５全てに対応した一実施形態である角度可変階段を示している。この実施形態の角度可変階段は、図１に示す如く、桁１の長手方向に間隔をあけて複数の踏板支持部材２を設け、踏板支持部材２を介して踏板３を桁１に対して回動自在に取り付けた角度可変階段において、踏板支持部材２が踏板３を上載する水平片４と桁１に回動自在に取り付けられる垂直片５とを備えてなると共に、垂直片５が桁１に対して回動しないように固定する固定手段を設けている。
【０００７】
又、踏板支持部材２の垂直片５に取付孔６を設け、釘７を取付孔６を介して桁１に挿入することで垂直片５が桁１に対して回動しないように固定する固定手段となしている。
【０００８】
又、踏板支持部材２が、板状の水平片４と、板状で水平片４から略垂下状に設けられた２つの垂直片５とからなる略コ字型であって、踏板支持部材２のコ字の開口８側で桁１を挟むと共に、コ字の開口８内に設けられ桁１の厚み方向に伸びた支持軸９を介して踏板支持部材２を桁１に対して回動自在に取り付けられている。
又、踏板支持部材２の水平片４の下側に、桁１の長手方向に平行な強化リブ１０を設けている。
【０００９】
又、踏板支持部材２の水平片４に、階段の昇り方向に開口８し桁１の上方が収まる凹状の切り欠き１１を設けている。
【００１０】
以下、この実施形態の角度可変階段を、より具体的詳細に説明する。この実施形態の角度可変階段は、木製の桁１と、木製の踏板３及び踏板３を桁１に取り付けるための金属製の踏板支持部材２とからなっている。踏板支持部材２は、全体は略コ字型で、踏板３を上載する板状の水平片４と、水平片４から略垂下に突出し、互いに略平行な２枚の垂直片５とからなっている。この水平片４は、略矩形で、階段の上り方向に開口し、桁１の幅寸法に略一致させた略矩形の切り欠き１１を設けている。又、垂直片５は略三角形の板状で、形状を詳しく説明すると、階段の降り方向の上端が略直角の略直角三角形となっている。
【００１１】
又、水平片４の下側、すなわちコ字型の開口８内部側には、桁の長手方向に平行な強化リブ１０が複数本設けられている。更に、水平片４は垂直片５よりも外側に突出しており、突出した部分には、踏板３を固定するための踏板固定孔１２が四隅に設けられている。又、垂直片５の階段の降り方向の下端には、支持軸９となるボルト１３を取り付けるための支持軸取付孔１４が設けられると共に、垂直片５の回動を固定する釘７を取り付けるための取付孔６が複数個設けられている。
【００１２】
又、桁１には支持軸９を支えるための支持孔１５が設けられており、この支持孔１５は、長手方向に沿って一定間隔で設けられている。
【００１３】
続いて、図２に従い、この実施形態の角度可変階段の施工方法について説明する。まず初めに、断面略矩形で長尺形状の桁１の両端を、階段を施工する場所の勾配に合わせて、斜めに切断する（図２（ａ））。次に、この加工した桁１に支持軸９を挿入するための支持孔１５を、階段の踏板３の間隔に合わせて複数設ける（図２（ｂ））。続いて、踏板支持部材２のコ字型の開口８側で桁１を挟み、踏板支持部材２の支持軸取付孔１４の位置と桁１の支持孔１５の位置とを合わせる。ここに、ワッシャー１６を通したボルト１３を挿入し、ナット１７をしめて仮固定する。このとき、ボルト１３が支持軸９となり、踏板支持部材２が桁１に対して回動自在に取り付けられている（図２（ｃ））。続いて、回動自在に取り付けられた踏板支持部材２を、水準器などを用いて水平片４が水平になるように調節し、取付孔６から釘７を挿入して踏板支持部材２が回動しないように固定した後、ボルト１３も確実に固定する。そして、踏板３を上載して踏板支持部材２の水平片４の裏側から、踏板固定孔１２を介して釘７を挿入し、踏板３を固定する（図２（ｄ））。なお、このとき踏板支持部材２の回動を固定するときや、踏板３の固定に用いる釘７は、打ち込み釘７だけでなく、ビスなどのようなねじ込み釘７も含む。又、桁１の加工は、施工前に工場などで加工して出荷しても良いが、施工現場で加工することもできる。
【００１４】
従って、この実施形態の角度可変階段においては、踏板支持部材２が踏板３を上載する水平片４と桁１に回動自在に取り付けられる垂直片５とを備えてなるため、踏板３の昇降方向の角度を、自由に調整することができる。従って、階段の設置場所が異なっても、階段の施工場所に応じた様々な勾配に合わせて踏板３の角度を調整できるため、階段の設置場所が異なろうとも、同じ部材を用いて対応することができる。又、垂直片５が桁１に対して回動しないように固定する固定手段を設けているため、踏板３を桁１に対して自由に回動させて角度を調整した後、踏板３が水平な位置に合わせて、ちょうど良い角度で固定することができる。
又、踏板支持部材２の垂直片５に取付孔６を設け、釘７を取付孔６を介して桁１に挿入することで垂直片５が桁１に対して回動しないように固定する固定手段としているため、踏板支持部材２を容易に固定できる。又これは、特に桁１が木製のときには更に施工しやすく、この場合、釘７を桁１のどの位置ででも挿入できるため、無段階で角度を調節し、固定することができる。
又、踏板支持部材２が、板状の水平片４と、板状で水平片４から略垂下状に設けられた２つの垂直片５とからなる略コ字型であり、踏板支持部材２のコ字の開口８側で桁１を挟むとため、踏板支持部材２が桁１の両側から挟みこまれると共に固定され、しっかりと固定することができる。又、コ字の開口８内に設けられ桁１の厚み方向に伸びた支持軸９を介して踏板支持部材２を桁１に対して回動自在に取り付けているため、支持軸９により踏板支持部材２が回動自在に設けられるだけでなく、支持軸９により踏板支持部材２、踏板３及び踏板３にかかる荷重が支えられ、又、支持軸９が外から見えなくなるために見栄えよく仕上がる。
又、踏板支持部材２の水平片４の下側に、桁１の長手方向に平行な強化リブ１０を設けているため、階段昇降時にかかる荷重による、踏板支持部材２の昇降方向のたわみを防ぐことができ、踏板３がしっかりと固定され、安全に昇降できる階段となる。
【００１５】
又、踏板支持部材２の水平片４に、階段の昇り方向に開口し桁１の上方が収まる凹状の切り欠き１１を設けているため、踏板３の奥行きを大きくとることができ、昇降しやすい安全な階段となる。又、垂直片５も階段昇降方向に大きくすることができ、踏板支持部材２にかかる荷重をしっかり支えることができる。
【００１６】
図３には、本願の請求項１〜５全てに対応した他の実施形態である角度可変階段を示している。この実施形態の角度可変階段は、図３に示す如く、２つの垂直片５の下方がR形状をしており、互いの垂直片５に支持軸９が架設されている。つまりこの実施形態においては、支持軸９が踏板支持部材２と一体に形成されている。又、桁１の厚み方向には、断面が上側に開口した略半円の凹部（支持孔１５）が支持孔１５として設けられている。以上の構成により、この実施形態においては、桁１に設けられた凹部（支持孔１５）に、踏板支持部材２の支持軸９を嵌合することで、踏板支持部材２が桁１に対して回動自在に取り付けられている。
【００１７】
従って、この実施形態の角度可変階段においては、支持軸９を凹部（支持孔１５）に嵌合するだけで、桁１に踏板支持部材２を容易に取り付けることができる。従って、上記実施形態と比較すると、踏板支持部材２の支持軸取付孔１４の位置と桁１の支持孔１５の位置とをあわせる手間が省ける。なお、それ以外の構成及び施工方法に関しては、上記実施形態と同様であり、効果についても同様の効果を奏する。
なお、本願発明の角度可変階段においては、対向して桁１を１対設け、それぞれの桁１の同一高さに踏板支持部材２を設け、その踏板支持部材２を掛け渡して踏板３を取り付けたり、又、一本の桁１に踏板支持部材２を取り付け、踏板３を１つの踏板支持部材２の略中央に取り付けたりしてもよい。
【００１８】
又、本願発明においては、踏板３は平面的な板状のものだけに限らない。例えば、板状の踏板３の裏側に桁１と同じ幅の凹部を設けると、踏板３を、踏板３に設けた凹部で桁１の水平片４よりも上側の部分を嵌合するようにして踏板支持部材２に取り付けることができ、踏板３の奥行き方向の寸法を更に大きくとることができる。すなわち、踏板支持部材２の形状を変えることなく、踏板３を桁１の奥行き方向、つまり階段昇り方向にも、大きく設けることができるようになる。従って、安全で、昇降しやすい階段となる。
【図面の簡単な説明】
【００１９】
【図１】本願発明の一実施形態である角度可変階段を示す（ａ）は要部斜視図、（ｂ）は要部分解斜視図。
【図２】同角度可変階段における施工方法の各段階を示す（ａ）〜（ｄ）は要部斜視図。
【図３】本願発明の他の実施形態を示す要部分解斜視図。
【符号の説明】
【００２０】
１  桁
２  踏板支持部材
３  踏板
４  水平片
５  垂直片
６  取付孔
７  釘
８  開口
９  支持軸
10  強化リブ
11  切り欠き
12  踏板固定孔
13  ボルト
14  支持軸取付孔
15  支持孔
16  ワッシャー
17  ナット
【図１】
2006328775.tif 000003
【図２】
2006328775.tif 000004
【図３】
2006328775.tif 000005